(57)【要約】      （修正有）【課題】易学に疎い一般人でも家屋やマンション、アパートの部屋の吉凶を、その方位から容易、簡便に鑑定でき、かつ鑑定によって悩みを抱え込まないよう配慮した方位磁石付き方位鑑定盤を提供する。【解決手段】円板でなる基体と、該基体に貼着され少なくとも北の方位と鬼門及び邪気除けの方位が表示された円形の方位鑑定図面と、前記基体の中心部に貼着された円筒形の方位磁石とで構成され、前記方位鑑定図面に表示された鬼門及び邪気除けの方位表示が、一定幅の帯として描かれ、また家屋、マンション、アパートなどの部屋の吉凶を鑑定できるよう、鬼門の方位に存在するのが不適当な部屋の種別、構造物形状等、あるいは邪気除けの方位に存在することが好ましい部屋の種別、構造物形状等が表示されてなる方位磁石付き方位鑑定盤による。【選択図】  図１
0003163679.tif 000002
【実用新案登録請求の範囲】
【請求項１】
円板でなる基体と、該基体に表記され少なくとも北の方位と鬼門及び邪気除けの方位が表示された円形の方位鑑定図面と、前記基体の中心部に付設された方位磁石とで構成されてなることを特徴とする方位磁石付き方位鑑定盤。
【請求項２】
前記方位鑑定図面に表示された鬼門及び邪気除けの方位表示が、一定幅を有する帯として描かれてなることを特徴とする請求項１に記載の方位磁石付き方位鑑定盤。
【請求項３】
前記方位鑑定図面に、家屋のレイアウトにおける吉凶を鑑定できるよう、鬼門の方位に存在するのが不適当な家屋の設備、あるいは邪気除けの方位に存在することが好ましい家屋の設備が表示されてなること特徴とする請求項１又は２に記載の方位磁石付き方位鑑定盤。
【請求項４】
前記方位鑑定図面に、マンション・アパートの部屋の吉兆を鑑定できるよう、鬼門の方位に存在するのが不適当な梁等室内構造物の形状や欠陥、あるいは邪気除け方位に存在することが好ましい室内構造物の形状が表示されてなることを特徴とする請求項１〜３のいずれか１項にに記載の方位磁石付き方位鑑定盤。
【請求項５】
前記方位鑑定図面に、鬼門除け、邪気除けとして植裁されることが推奨される紅葉、竹、南天、桃の植裁位置が、それぞれ表示されてなることを特徴とする請求項１〜４のいずれか１項に記載の方位磁石付き方位鑑定盤。
【請求項６】
前記円形の方位鑑定図面の中心部が、前記基体の表面に貼着された方位磁石を挿入可能に切り抜かれてなり、前記方位磁石周囲の基体表面に着脱可能にしてなることを特徴とする請求項１〜５のいずれか１項に記載の方位磁石付き方位鑑定盤。
【請求項７】
請求項６に記載の中心部が切り抜かれた方位鑑定図面が、それぞれ異なる鑑定項目に対する吉凶の方位を表示した複数枚からなり、鑑定項目ごとに着脱、交換可能にしてなることを特徴とする方位磁石付き方位鑑定盤。
【考案の詳細な説明】
【技術分野】
【０００１】
家屋の家相やアパート、マンションの部屋の相の吉凶を現場で簡便に鑑定できる方位磁石付き方位鑑定盤に関する。
【背景技術】
【０００２】
家相の吉凶を玄関や台所などが家屋の中心からどの方位にあるかによって易学に基づいて鑑定する用具に関する発明や考案は、従来から行われ公開されているが、その多くは、家屋の設計図や見取り図上で使用されるものであって、鑑定現場でその吉凶を鑑定するために使用できる方位磁石を備えた用具に関する発明や考案は数少ない。
その中にあって、登録実用新案第３０３４９７２号公報には、「中央の透明部に地磁気の北を示す磁石が配設された基盤と、この基盤上の前記透明部の外側に前記磁石を中心に回転自在に支持された番号盤と、前記基盤上の前記番号盤の外側に同心円に回転自在に支持された上盤と、前記基盤上の前記上盤の下側に同心円に回転自在に支持された下盤と、前記基盤の上方に前記基盤の南北を示すように架線された基準表示線と、前記基盤に着脱自在に架線された磁差表示線とを備えており、前記番号盤の上面には１２個の番号文字が周方向に等間隔に表示されており、前記上盤には地支表示領域と、家相二十四山表示領域と、家相方角表示領域とが設けられているとともに、前記家相方角表示領域には８個の窓が周方向に等間隔に形成されており、前記下盤の前記窓群に対向する同心円上には九星一九気性表示領域が設けられていることを特徴とする方位家相運勢指南盤。」が開示されている。
また、実開平７−４３３５１号公報には「磁石計の上下の部分を硝子かプラスチックを使用し透明にし、それぞれに方位盤と家相吉凶方位盤をシルク印刷などで描き素人でも簡単に家相判断ができるようにした磁石計。」の考案が開示されている。
【０００３】
しかし、前者の「方位家相運勢指南盤」はその名称に示され、またその明細書の段落〔０００１〕に「本考案は、住居や店舗が移転したり人が旅行したりする方位や、家相および人の運勢を易学によって指南するのに使用する方位家相運勢指南盤に関する」と記載されているように、家相や運命を鑑定する専門家が扱って、鑑定を求めた人に指南するのに用いられるものであって、易学に疎い一般人が容易に活用しうるものではない。
また、後者の磁石計は、方位盤と家相吉凶方位盤との対応が固定されており、易学に疎い一般人が使用してその吉凶を鑑定することはできる。しかし、従来方位盤では、方位を円の中心から放射状に延びる複数の直線によって円周が等分割されて形作られた扇形状で示しており、鬼門の方位も例外ではない。したがってマンションやアパートなど部屋数が少なない住居では部屋の広い部分が鬼門ととなり、鑑定したことによって悩みを抱え込むことにもなりかねない。
【先行技術文献】
【特許文献】
【０００４】
【特許文献１】登録実用新案第３０３４９７２号公報
【特許文献２】実開平７−４３３５１号公報
【考案の概要】
【考案が解決しようとする課題】
【０００５】
本考案は、上記背景技術に鑑み、易学に疎い一般人でも家屋やマンション、アパートの部屋の吉凶を、その方位から容易、簡便に鑑定でき、かつ鑑定によって悩みを抱え込まないよう配慮した方位磁石付き方位鑑定盤を提供するものである。
【課題を解決するための手段】
【０００６】
（１）円板でなる基体と、該基体に表記され少なくとも北の方位と鬼門及び邪気除けの方位が表示された円形の方位鑑定図面と、前記基体の中心部に付設された方位磁石とで構成されてなることを特徴とする方位磁石付き方位鑑定盤。
（２）前記方位鑑定図面に表示された鬼門及び邪気除けの方位表示が、一定幅を有する帯として描かれてなることを特徴とする前項（１）に記載の方位磁石付き方位鑑定盤。
（３）前記方位鑑定図面に、家屋のレイアウトにおける吉凶を鑑定できるよう、鬼門の方位に存在するのが不適当な家屋の設備、あるいは邪気除けの方位に存在することが好ましい家屋の設備が表示されてなること特徴とする前項（１）又は（２）に記載の方位磁石付き方位鑑定盤。
（４）前記方位鑑定図面に、マンション・アパートの部屋の吉兆を鑑定できるよう、鬼門の方位に存在するのが不適当な梁等室内構造物の形状や欠陥、あるいは邪気除け方位に存在することが好ましい室内構造物の形状が表示されてなることを特徴とする前項（１）〜（４）のいずれか１項に記載の方位磁石付き方位鑑定盤。
（５）前記方位鑑定図面に、鬼門除け、邪気除けとして植裁されることが推奨される紅葉、竹、南天、桃の植裁位置が、それぞれ表示されてなることを特徴とする前項（１）〜（４）のいずれか１項に記載の方位磁石付き方位鑑定盤。
【０００７】
（６）前記円形の方位鑑定図面の中心部が、前記基体の表面に貼着された方位磁石を挿入可能に切り抜かれてなり、前記方位磁石周囲の基体表面に貼着・剥離可能にしてなることを特徴とする請求項（１）〜（５）のいずれか１項に記載の方位磁石付き方位鑑定盤。
（７）前項（６）に記載の中心部が切り抜かれた方位鑑定図面が、それぞれ異なる鑑定項目に対する吉凶の方位を表示した複数枚からなり、鑑定項目ごとに着脱、交換可能にしてなることを特徴とする方位磁石付き方位鑑定盤。
【考案の効果】
【０００８】
本考案の方位磁石付き方位鑑定盤によって、下記の効果が発揮できる。
〈１〉円板でなる基体と、該基体に貼着され少なくとも北の方位と鬼門及び邪気除けの方位が表示された円形の方位鑑定図面と、前記基体の中心部に貼着された円筒形の方位磁石とで構成され、かつ前記方位鑑定図面に鬼門及び邪気除けの方位を、一定幅を有する帯として描き、前記鬼門及び邪気除けの範囲が、従来の方位図面に描かれた扇形状の範囲と異なりより狭い範囲（幅１ｍ範囲）によるものであることを示しているので、鑑定結果に不安を覚えることが減少する。
【０００９】
〈２〉前記方位鑑定図面に、家屋のレイアウトにおける吉凶を鑑定できるよう、鬼門の方位に存在するのが不適当な家屋の設備、あるいは邪気除けの方位に存在することが好ましい家屋の設備が表示されているので、鑑定現場となる家屋の中心に本方位鑑定盤を設置し、前記方位鑑定図面に表示された北の方位と方位磁石の磁針が指し示す北とを合致させて、玄関、台所などの方位を確認するだけで、易学の専門知識を持たない人でも簡便、容易に家屋の吉凶を鑑定することができる。
〈３〉前記方位鑑定図面に、マンション・アパートの部屋の吉兆を鑑定できるよう、鬼門の方位に存在するのが不適当な梁等室内構造物の形状や欠陥、あるいは邪気除け方位に存在することが好ましい室内構造物の形状が表示されているので、上記〈２〉の効果に加えて室内構造物の形状や欠陥に伴う部屋の吉兆も容易に鑑定することができる。
【００１０】
〈４〉前記方位鑑定図面に、鬼門除け、邪気除けとして植裁されることが推奨される紅葉、竹、南天、桃の植裁位置が表示されているので、当該位置に指定の植物を植裁することによって鬼門除け、邪気除けが構築できる。
【００１１】
〈５〉前記円形の方位鑑定図面の中心部が、前記基体の表面に貼着された方位磁石を挿入可能に切り抜かれてなり、前記方位磁石周囲の基体表面に着脱可能にしてなるので、前記方位鑑定図面を不要となったＣＤに方位磁石とともに貼着することによって容易に手作りで方位磁石付き方位鑑定盤が構成でき、廃棄ＣＤの再利用も可能となる。
【００１２】
〈６〉また、前記中心部が切り抜かれた方位鑑定図面が、それぞれ異なる鑑定項目に対する吉凶の方位を表示した複数枚からなり、前記基体に着脱可能にしているので鑑定項目ごとに交換して使用でき、かつ、それぞれの鑑定図面の表示内容も整理され簡潔になり、多様な鑑定がより容易簡便に実施できる。
【図面の簡単な説明】
【００１３】
【図１】本考案の方位磁石付き方位鑑定盤の一実施例の上面及び側面図
【考案を実施するための形態】
【００１４】
本考案の方位磁石付き方位鑑定盤を実施するための形態を、実施例の図に基づいて説明する。なお、図において１は基体、２は方位鑑定図面、３は方位磁石である。
本考案の方位磁石付き方位鑑定盤は、図１に示すように、円板でなる基体１と、該基体１に貼着され少なくとも北の方位と鬼門及び邪気除けの方位が表示された円形の方位鑑定図面２と、前記基体１の中心部に貼着された円筒形の方位磁石３とで構成されている。
そして前記方位鑑定図面には、鬼門及び邪気除けの方位表示が一定幅を有する帯として描かれ、また家屋のレイアウトにおける吉凶を鑑定できるよう、鬼門の方位に存在するのが不適当な家屋の設備、あるいは邪気除けの方位に存在することが好ましい家屋の設備が表示され、さらに、マンション・アパートの部屋の吉兆を鑑定できるよう、鬼門の方位に存在するのが不適当な梁等室内構造物の形状や欠陥、あるいは邪気除け方位に存在することが好ましい室内構造物の形状が表示されている。
さらにまた、前記方位鑑定図面２には、鬼門除け、邪気除けとして植裁されることが推奨される紅葉、竹、南天、桃の植裁位置が、それぞれ表示されている。
なお、方位鑑定図面２に表示の方位は、方位磁石の示す磁北と合わせるために少なくとも北は表示しておかねばならないが、南北を示す子午線及び東西を示す経線を併せ表示しておくことがより好ましい。
【００１５】
本考案の方位磁石付き方位鑑定盤は、前記円形の方位鑑定図面３の中心部を、前記基体１の表面に貼着された方位磁石３が挿入可能なように切り抜き、前記方位磁石３周囲の基体１表面に貼着・剥離可能にしてある。そのため、前記の中心部が切り抜かれた方位鑑定図面を複数枚に、それぞれ異なる鑑定項目に対する吉凶の方位を表示しておけば、鑑定項目ごとに該当する方位鑑定図面を交換して使用できるので前記方位鑑定図面２それぞれの表示内容も整理され簡潔となり、使用しやすくなる。
なお前記基体１を透明なプラスチック製の円板とし、その裏面に前記方位鑑定図面２を基体１の表面から透視可能に貼着し、基体１の表面中心部に方位磁石３を貼着して形成されてもよく、また前記基体１として不要となったＣＤを使用することがあってもよい。
【００１６】
本考案の方位磁石付き方位鑑定盤は次のようにで使用する。
ａ．吉兆を鑑定しようとする家屋、マンションやアパートの部屋の中心となる位置に置き、基体１に貼着された方位鑑定図面２の北の表示を、方位磁石の磁針のＮ極Ｎが指し示す向きに合わせて、鑑定現場における鬼門及び邪気除けの方位を確認する。
ｂ．確認した鬼門、邪気除けの方位に延びる幅１ｍの帯状の部分に、前記方位鑑定図面記載された家屋の吉凶を占う玄関、台所、トイレ等の部位が存在するか否かを確認し、その存否によって吉凶を鑑定する。
ｃ．どうしても凶相が除かれない場合には植木の植裁、又は鉢植えを置くことによって鬼門除けをするが、その植木の種類と植裁、又は配置の方位は、前記方位鑑定図面３の表示に従えばよい。
【符号の説明】
【００１７】
１：基体
２：方位鑑定図面
３：方位磁石
Ｎ：磁針のＮ極
【図１】
0003163679.tif 000003
【手続補正書】
【提出日】平成22年8月20日(2010.8.20)
【手続補正１】
【補正対象書類名】実用新案登録請求の範囲
【補正対象項目名】全文
【補正方法】変更
【補正の内容】
【実用新案登録請求の範囲】
【請求項１】
円板でなる基体と、該基体に表記され少なくとも北の方位と鬼門及び邪気除けの方位が表示された円形の方位鑑定図面と、前記基体の中心部に付設された方位磁石とで構成されてなることを特徴とする方位磁石付き方位鑑定盤。
【請求項２】
前記方位鑑定図面に表示された鬼門及び邪気除けの方位表示が、一定幅を有する帯として描かれてなることを特徴とする請求項１に記載の方位磁石付き方位鑑定盤。
【請求項３】
前記方位鑑定図面に、家屋のレイアウトにおける吉凶を鑑定できるよう、鬼門の方位に存在するのが不適当な家屋の設備、あるいは邪気除けの方位に存在することが好ましい家屋の設備が表示されてなること特徴とする請求項１又は２に記載の方位磁石付き方位鑑定盤。
【請求項４】
前記方位鑑定図面に、マンション・アパートの部屋の吉兆を鑑定できるよう、鬼門の方位に存在するのが不適当な梁等室内構造物の形状や欠陥、あるいは邪気除け方位に存在することが好ましい室内構造物の形状が表示されてなることを特徴とする請求項１〜３のいずれか１項にに記載の方位磁石付き方位鑑定盤。
【請求項５】
前記方位鑑定図面に、鬼門除け、邪気除けとして植裁されることが推奨される紅葉、竹、南天、桃の植裁位置が、それぞれ表示されてなることを特徴とする請求項１〜４のいずれか１項に記載の方位磁石付き方位鑑定盤。
【請求項６】
前記円形の方位鑑定図面の中心部が、前記基体の表面に貼着された方位磁石を挿入可能に切り抜かれてなり、前記方位磁石周囲の基体表面に着脱可能にしてなることを特徴とする請求項１〜５のいずれか１項に記載の方位磁石付き方位鑑定盤。
【請求項７】
前記方位鑑定図面が、それぞれ異なる鑑定項目に対する吉凶の方位を表示した複数枚からなり、鑑定項目ごとに着脱、交換可能にしてなることを特徴とする請求項６に記載の方位磁石付き方位鑑定盤。
【手続補正２】
【補正対象書類名】明細書
【補正対象項目名】０００７
【補正方法】変更
【補正の内容】
【０００７】
（６）前記円形の方位鑑定図面の中心部が、前記基体の表面に貼着された方位磁石を挿入可能に切り抜かれてなり、前記方位磁石周囲の基体表面に貼着・剥離可能にしてなることを特徴とする前項（１）〜（５）のいずれか１項に記載の方位磁石付き方位鑑定盤。
（７）前記方位鑑定図面が、それぞれ異なる鑑定項目に対する吉凶の方位を表示した複数枚からなり、鑑定項目ごとに着脱、交換可能にしてなることを特徴とする前項（６）に記載の方位磁石付き方位鑑定盤。